(57)【要約】【課題】  カートリッジ内にシート状記録材料が長期間収納された場合などにおいて環境の影響による記録材料のドラム吸着保持不良を防止できるようにした画像記録装置を提供する。【解決手段】  この画像記録装置は、ロール状に巻回されたシート状記録材料を収納したカートリッジからシート状記録材料を給送しドラムに保持し、ドラム上のシート状記録材料に画像記録を行うものであって、カートリッジ内部に湿度を検知する湿度監視手段を備え、湿度監視手段が予め設定した監視湿度を検知した場合、シート状記録材料のドラムへの給送のときにシート状記録材料をドラムに吸着させ保持するためにドラム内の空気を吸引する吸引手段の動作モードを自動的に切り替える。【選択図】  図９
2006163040.tif 000002
【特許請求の範囲】
【請求項１】
ロール状に巻回されたシート状記録材料を収納したカートリッジから前記シート状記録材料を給送しドラムに保持し、前記ドラム上のシート状記録材料に画像記録を行う画像記録装置であって、
前記カートリッジ内部に湿度を検知する湿度監視手段を備え、
前記湿度監視手段が予め設定した監視湿度を検知した場合、前記シート状記録材料の前記ドラムへの給送のときに前記シート状記録材料を前記ドラムに吸着させ保持するために前記ドラム内の空気を吸引する吸引手段の動作モードを自動的に切り替えるように制御することを特徴とする画像記録装置。
【請求項２】
前記吸引手段を連続吸引動作モードと間欠吸引動作モードとの間で切り替えることを特徴とする請求項１に記載の画象記録装置。
【請求項３】
前記予め設定した監視湿度は任意に設定可能であることを特徴とする請求項１または２に記載の画像記録装置。
【請求項４】
前記監視湿度は相対湿度で５０乃至１００％の範囲内に設定されることを特徴とする請求項３に記載の画像記録装置。
【請求項５】
前記カートリッジは前記シート状記録材料の給送ために開閉する給紙シャッタを備え、前記給送のとき以外は前記給紙シャッターを閉じるように制御することを特徴とする請求項１乃至４のいずれか１項に記載の画像記録装置。
【発明の詳細な説明】
【技術分野】
【０００１】
本発明は、カートリッジからシート状記録材料を給送するようにした画像記録装置に関するものである。
【背景技術】
【０００２】
カラープルーフ作成装置等の画像記録装置は記録材料に画像を露光する露光装置を含み、かかる露光装置として、外部空間からその内部空間まで周壁を貫通する複数の貫通孔を有するドラムと、このドラムの内部空間から空気を吸引する空気吸引手段と、ドラムを回転する回転手段と、ドラムに記録材料を給送する給送手段と、ドラムの外周面上に保持された記録材料を露光する露光手段と、を有し、給送手段により給送された記録材料を、空気吸引手段による吸引により生じる外部空間と内部空間との間の気圧差によりドラムの外周面上に保持し、ドラムの外周面上に保持された記録材料を露光手段により露光するものが公知である（下記特許文献１参照）。
【０００３】
上述のような画像記録装置において画像形成に用いる記録材料のべースに紙を使用した場合、環境影響（特に湿度）により、記録材料が収縮・膨張することに起因して反りやカール等が発生し、記録材料をドラムに給送し吸着させる際に吸着不良が生じるおそれがあった。
【０００４】
上述の画像記録装置はシート状記録材料を収納したカートリッジを装填し、そのカートリッジから給送された記録材料に画像記録を行うが、カートリッジには遮光等のためにシャッタが設けられており、カートリッジ内部の湿度等は環境変動から影響を受け難く、カートリッジ内に記録材料が長期間に渡って収納されて未使用状態が続いた場合等には、カートリッジ内部の湿度の影響を受け、反りやカール等が発生してしまうことがあった。
【特許文献１】特開２００１−２１５７２４号公報
【発明の開示】
【発明が解決しようとする課題】
【０００５】
本発明は、上述のような従来技術の問題に鑑み、カートリッジ内にシート状記録材料が長期間収納された場合などにおいて環境の影響による記録材料のドラム吸着保持不良を防止できるようにした画像記録装置を提供することを目的とする。
【課題を解決するための手段】
【０００６】
上記目的を達成するために、本発明による画像記録装置は、ロール状に巻回されたシート状記録材料を収納したカートリッジから前記シート状記録材料を給送しドラムに保持し、前記ドラム上のシート状記録材料に画像記録を行う画像記録装置であって、前記カートリッジ内部に湿度を検知する湿度監視手段を備え、前記湿度監視手段が予め設定した監視湿度を検知した場合、前記シート状記録材料の前記ドラムへの給送のときに前記シート状記録材料を前記ドラムに吸着させ保持するために前記ドラム内の空気を吸引する吸引手段の動作モードを自動的に切り替えることを特徴とする。
【０００７】
この画像記録装置によれば、カートリッジ内部で検知した監視湿度に基づいてシート状記録材料のドラムへの給送のときにドラムの吸引手段の動作モードを自動的に切り替えるので、カートリッジ内に記録材料が長期間収納された場合などにカートリッジ内の湿度等の環境の影響を受けて反りやカール等が発生したときでも、記録材料のドラムでの吸着保持不良を防止できる。
【０００８】
上記画象記録装置において前記吸引手段を連続吸引動作モードと間欠吸引動作モードとの間で切り替えることで、ドラムにおける吸引力及びしわ発生防止性を調整することができる。
【０００９】
また、前記予め設定した監視湿度は任意に設定可能であることが好ましい。この場合、前記監視湿度は相対湿度で５０乃至１００％の範囲内に設定されることが好ましい。
【００１０】
また、前記カートリッジは前記シート状記録材料の給送ために開閉する給紙シャッタを備え、前記給送のとき以外は前記給紙シャッタを閉じるように制御することで、非使用のときにカートリッジ内を遮光し内部の記録材料の光被りを防止できる一方、非使用の間にカートリッジ内の記録材料に反りやカール等が生じ易いが、上述のような制御により記録材料のドラムでの吸着保持不良を防止できる。
【発明の効果】
【００１１】
本発明の画像記録装置によれば、カートリッジ内にシート状記録材料が長期間収納された場合などにおいて環境の影響による記録材料のドラム吸着保持不良を防止できる。
【発明を実施するための最良の形態】
【００１２】
以下、本発明による実施の形態について図面を用いて説明する。図１は本実施の形態による画像記録装置全体の外観を示す斜視図である。図２は図１の画像記録装置の内部を正面側から見た図である。図３は図２の画像記録装置のドラム及び光学ユニットを上部から見た要部平面図である。
【００１３】
図１に示すように、本実施の形態による画像記録装置１は、シート状の銀塩感光材料に露光し画像を形成する露光ユニット１１と、露光された銀塩感光材料を現像する現像ユニット２１と、を備える。シート状の銀塩感光材料は、紙に銀塩感光材料による乳剤感光面が形成されており、以下、「記録紙」という。
【００１４】
露光ユニット１１は、前面からメンテナンスできるように開閉可能な前面パネル５と、各種情報の表示とタッチパネルからなり装置全体の操作のために入力可能な表示部２と、内部にロール状に巻かれたシート状の記録紙を収容したカートリッジ１３を給紙カバー３，４の開放後に装填可能な装填部１２，１２’と、を備える。図１では装填部１２，１２’にカートリッジ１３を装填する前、装填した後の状態を示している。
【００１５】
現像ユニット２１は、メンテナンスのために開閉可能な上面パネル６と、前面には、現像処理液等の補充等のために開閉可能に設けられた補給パネル７と、を備える。
【００１６】
図２のように、画像記録装置１の露光ユニット１１は、装填部１２，１２’に装填されたカートリッジ１３から記録紙を給送する搬送ローラ対４０，４１，４２等からなる給送部１４と、給送部１４から給送された記録紙Ｓを外周面に巻き付け真空吸引し保持しながら主走査のために回転方向Ｒに回転するドラム１０と、ドラム１０上の記録紙に対しＬＥＤ光やレーザ光等の光ビームを露光し記録紙に潜像を形成する光学ユニット１６と、光学ユニット１６を副走査のために副走査方向（図２の紙面垂直方向）に搬送する副走査部１７と、画像記録後のドラム１０上の記録紙を剥離する剥離部材１５と、を備える。
【００１７】
図２の画像記録装置１は、更に、搬送ローラ対４２の下流側に配置されドラム１０に向けて送られる記録紙の搬送に従い従動回転する従動ローラ４３と、記録紙をドラム１０との間で搬送する従動ローラ３１と、ドラム１０上から剥離部材１５で剥離された記録紙をドラム１０と従動ローラ３１とで搬送するときに記録紙をガイドするガイド部材１８と、ガイド部材１８を通して送られてきた記録紙を出口１９へと更に搬送する搬送ローラ対３２と、搬送ローラ対３２に達した記録紙をアキュームするためのアキュームレート部３０と、搬送ローラ対３２の下流側近傍に配置された記録紙の先端を検出する光反射型の検出センサ３３と、を備える。露光済みの記録紙は出口１９及び接続部１９ａを通して現像ユニット２１へと搬送される。
【００１８】
また、図２のように、露光ユニット１１の装置筐体の背面側には外気を装置内部に吸引するファン６４が配置されており、ファン６４により露光ユニット１１内部の冷却を行うことができる。
【００１９】
搬送ローラ対４２の下流側近傍に配置された比較的幅狭の従動ローラ４３は記録紙の移動とともに従動回転し、この従動ローラ４３と同軸にロータリエンコーダ５８が連結されている。このロータリエンコーダ５８が従動ローラ４３とともに回転し回転量を測定することで搬送ローラ対４２を通過してドラム１０に巻き付けられた記録紙の長さを求めることができる。また、下流側の搬送ローラ対３２は、ワンウェイクラッチ構造を有し、記録紙の下流側への送り出し方向への回転が自在となっている。
【００２０】
また、図２の搬送ローラ対４０，４１の下流側近傍には記録紙を切断するカット部１０ａがそれぞれ配置されており、各カット部１０ａはモータ（図示省略）により回転駆動されるロータリカッタを有し、上述の記録紙の長さ測定に基づいて記録紙を所定長さに切断する。
【００２１】
また、搬送ローラ対３２に達した記録紙の先端を検出センサ３３で検出すると、搬送ローラ対３２を駆動する搬送ローラ対用モータ６１（図４）が止まって記録紙の搬送が停止するとともに、アキューム用モータ６２（図４）が作動し、図２の破線のようにガイド部材１８が回動し開放され、アキュームレート部３０が搬送ローラ対３２の下方に形成され、記録紙Ｓ１がアキュームされる。
【００２２】
図２の現像ユニット２１は、露光ユニット１１から送られた露光済みの記録紙について湿式現像を行い記録紙の潜像を可視化するものであり、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、画像が可視化され排出された記録紙を集積する集積部２８と、を備える。
【００２３】
図３のように、画像記録装置１のドラム１０は、回転軸部１４’の回転軸１４ａ及び回転軸部１８’の回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００２４】
また、ドラム１０の他方の回転軸１４ａは、ドラム１０の内部の空気を吸引しドラム１０内を減圧するための減圧手段としての吸引ブロアＰ１に連結されている。
【００２５】
ドラム１０の貫通孔について図３，図５を参照して説明する。図５は図３のドラムに形成された貫通孔を示す要部断面図である。図３のように、ドラム１０の外周面３１ａには貫通孔３１ｃが回転軸方向に直線状に延びて多数形成されている。図５のように、各貫通孔３１ｃは、ドラム１０の外周面３１ａと内周面３１ｂに形成された溝３１ｄとの間に周壁１０ｂを貫通した比較的小孔に形成されている。吸引ブロアＰ１の駆動によりドラム１０の内部が減圧されて図５の破線で示す記録紙Ｓがドラム１０の外周面３１ａに吸着されるようになっている。
【００２６】
即ち、吸引ブロアＰ１は空気吸引ポンプにより吸引連結管５１を通してドラム１０内の空気を吸引してドラム１０内を負圧にし、露光開始前に搬送されてきた記録紙Ｓをドラム１０の外周面３１ａに巻き付けて吸着する。
【００２７】
光学ユニット１６は、副走査部１７によりドラム軸と平行に移動可能に構成され、デジタル画像信号を受けてドラム１０に吸着された記録紙に光ビームで露光して画像の書き込みを行う。図３に示すように、光学ユニット１６には、３波長の光源、例えばＢ、Ｇ、Ｒ用の光源としてＬＥＤユニット３２０、ＬＥＤユニット３２１、ＬＥＤユニット３２２が配置されている。
【００２８】
各ＬＥＤユニット３２０，３２１，３２２からの光ビームは、ミラー３２５、３２６、３２７を介して、集光レンズ３３１からドラム１０上の記録紙に画像を露光する。露光シャッタ３３２は露光ソレノイド３３３により開閉することで、露光開始／終了時に光路の開閉を行なう。
【００２９】
光学ユニット１６は、移動ベルト３４０に固定され、一対のガイドレール３４１、３４２に案内されてドラム軸と平行方向に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に移動する。
【００３０】
次に、図１，図２の装填部１２，１２’に装填可能なカートリッジ１３について図６，図７を参照して説明する。図６は図１，図２のカートリッジの内部のシャッタ機構を側面から見た概略的な部分断面図である。図７は図６のカートリッジの搬出口近傍に設けられたシャッタ機構を下面側から見た部分図である。
【００３１】
図６のように、カートリッジ１３は、上部の取手１３ａと、図６の紙面垂直方向に延びた筐体１３ｂと、シート状記録紙Ｓがロール状に巻かれて筐体１３ｂ内に収容されたロール状体１３ｄと、筐体１３ｂの底部に形成され記録紙Ｓを搬出する搬出口７０と、搬出口７０の近傍上側に設けられてシャッタ機構を構成する板状のシャッタ６６と、を備える。
【００３２】
シャッタ６６は、シャフト６８に固定され、シャフト６８の周りに付勢コイルばね６７が配置されている。付勢コイルばね６７は、台座６９とシャッタ６６との間に配置され、筐体１３ｂの底部に略直立して設けられたシャッタ受部１３ｃに対しシャッタ６６を常時付勢し押し付けている。このように、シャッタ機構は、シャッタ６６をシャッタ受部１３ｃに常時付勢することで筐体１３ｂ内を密閉し遮光することで、記録紙Ｓの外部光による光被りを防止している。
【００３３】
シャッタ６６は、台座６９内まで延びたシャフト６８とともに付勢コイルばね６７の付勢力に抗して図６，図７のシャッタ開放部材７１が方向ｈに駆動されることで、開放されるようになっている。即ち、カートリッジ１３を図１の画像記録装置１の装填部１２，１２’に装填し給紙カバー３，４を閉め、装置側のシャッタ駆動モータ６５（図４）を作動させると、装置側から延びてきた爪部が、図７のように、シャッタ開放部材７１の一端部７１ａを図７の方向ｇに押し付ける。そして、シャッタ開放部材７１は支点部７２を支点にしてその他端部７１ｂが方向ｈに移動する。他端部７１ｂにシャフト６８が接続されているので、シャフト６８に接続されたシャッタ６６が付勢コイルばね６７の付勢力に抗し方向ｈに移動し、シャッタ受部１３ｃから離れ、搬出口７０が開放される。
【００３４】
上述のようにして、カートリッジ１３内のロール状体１３ｄから記録紙Ｓを引き出し、搬出口７０から搬出し給紙するとき、シャッタ６６が開放される。なお、図７のシャッタ開放部材７１等は、図７の右側長手方向にもう１組設けられている。
【００３５】
また、図６のように、カートリッジ１３内には、湿度センサ６３が配置されており、カートリッジ１３内の湿度を測定する。カートリッジ１３が画像記録装置１の装填部１２，１２’に装填されると、湿度センサ６３の測定信号が装置１側に転送されるようになっている。湿度センサ６３は、高分子膜の水分の吸収・放出に伴う誘電率変化から雰囲気の相対湿度を測定する高分子膜湿度センサや水蒸気の吸着し易い多孔質セラミックを用いたセラミック湿度センサ等を利用できるが、これらに限定されるものではない。
【００３６】
図４に図１〜図３の画像記録装置１の露光ユニット１１における画像データの流れ及び画像記録装置１の制御系のブロック図を示す。また、図８に図３の吸引ブロアＰ１の間欠吸引動作（ａ）及び連続吸引動作（ｂ）における各動作モードを示す。
【００３７】
図４に示すように、図１〜図３の画像記録装置１は、例えばカラープルーフを作成するために外部の画像処理装置であるＲＩＰ(Raster Image Processor)４９でラスターデータから網点画像データを作成し、この網点画像データがＲＩＰ４９から露光ユニット１１に転送されるようになっている。
【００３８】
露光ユニット１１は、図４のように、外部のＲＩＰ４９からの網点画像データが入力する画像データＩ／Ｆ部５２と、画像データＩ／Ｆ部５２からの網点画像データをいったん記憶し随時出力するハードディスク記憶装置等からなるデータバッファ５３と、データバッファ５３からのＹＭＣＫの網点画像データに対する光源駆動値を対応づけて記録紙に対する露光のための露光光量を設定する露光ルックアップテーブル（露光ＬＵＴ）５４と、露光ルックアップテーブル５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００３９】
画像記録装置１の制御系は、図４のように、中央演算処理装置（ＣＰＵ）から構成される制御部５０を備え、制御部５０は、検出センサ３３や湿度センサ６３等からの各信号が入力し、画像データＩ／Ｆ部５２、データバッファ５３、露光ルックアップテーブル５４、表示部２、搬送ローラ対用モータ６１，アキューム用モータ６２、吸引ブロアＰ１、装填部１２，１２’に装填されたカートリッジ１３のためのシャッタ開放駆動用モータ６５及び他の装置部分を制御する。
【００４０】
図４の制御部５０は、カートリッジ１３内の湿度センサ６３が予め設定した監視湿度を検知すると、吸引ブロアＰ１を制御しその動作を切り替える。例えば、吸引ブロアＰ１を図８（ａ）のような間欠吸引動作モードから図８（ｂ）のような連続吸引動作モードに切り替えることで、吸引ブロアＰ１を連続吸引動作モードで作動させ、ドラム１０における多数の貫通孔３１ｃを通しての吸引力を大きくできる。また、逆に、吸引ブロアＰ１を図８（ｂ）のような連続吸引動作モードから図８（ａ）のような間欠吸引動作モードに切り替えることで、吸引ブロアＰ１を間欠吸引動作モードで作動させ、ドラム１０に感光紙を吸着させるときしわ等が生じ難くなりしわの発生を防止できる。以上のような切り替えにより、カートリッジ１３内の湿度等の環境の影響で記録紙に反りやカールが生じても、記録紙をドラム１０に充分に吸着させることができ、記録紙のドラム１０での吸着保持不良を防止できる。
【００４１】
また、カートリッジ１３内の湿度センサ６３が監視湿度を検知しない場合は、吸引ブロアＰ１を図８（ｂ）のような連続吸引動作モードとなるように制御し、吸引ブロアＰ１が図８（ａ）のような間欠吸引動作モードであれば、図８（ｂ）のような連続吸引動作モードに切り替える。
【００４２】
また、制御部５０には上述の監視湿度を予め設定できるが、この監視湿度は、カートリッジ１３内で記録紙の反りやカールが生じる可能性に応じて変更でき、例えば、相対湿度で５０乃至１００％の範囲内に設定できる。これにより、使用する記録材料の種類等に応じて記録紙の収縮・膨張の程度が変わって反りやカールの発生の可能性が変化しても、その都度適切な監視湿度を設定できるので、記録紙のドラム１０での吸着保持不良を適切に防止できる。
【００４３】
図１〜図５の画像記録装置の動作（ステップＳ０１乃至Ｓ１１）を図９のフローチャートを参照して説明する。図１，図２の画像記録装置１の装填部１２，１２’にはカートリッジ１３が装填されているが（Ｓ０１）、カートリッジ１３はシャッタ開放駆動用モータ６５が駆動せずにシャッタ６６で内部が密閉されている状態である。この状態で、湿度センサ６３がカートリッジ１３内の湿度を監視しており、画像データが図４の外部のＲＩＰ４９から入力すると（Ｓ０２）、カートリッジ１３内の湿度センサ６３が予め設定した監視湿度を検知したか否かを判断する（Ｓ０３）。
【００４４】
カートリッジ１３内の湿度センサ６３が監視湿度を検知すると、吸引ブロアＰ１を図８（ｂ）の連続吸引動作モードから図８（ａ）の間欠吸引動作モードに切り替えるとともに（Ｓ０４）、シャッタ開放駆動用モータ６５を駆動し図６，図７のようにしてシャッタ６６を開放し（Ｓ０５）、カートリッジ１３内から記録紙をドラム１０に向け給紙搬送する（Ｓ０６）。そして、記録紙をドラム１０の外周面３１ａに巻き付けて吸着させる（Ｓ０７）。
【００４５】
次に、入力した画像データに基づいて光学ユニット１６で記録紙に露光を行い潜像を形成してから（Ｓ０８）、露光済みの記録紙をドラム１０から剥離部材１５を作動させて剥離しガイド部材１８や搬送ローラ対３２等を通して現像ユニット２１に搬出搬送し（Ｓ０９）、現像部２３等で現像処理を行う（Ｓ１０）。そして、潜像が可視化された記録紙を排出部２７から排出し、集積部２８へ出力させる（Ｓ１１）。
【００４６】
なお、露光済みの記録紙がドラム１０から搬出搬送されると、次の画像データがある場合、カートリッジ１３内のシャッタ６６は開放されたまま次の記録紙の給紙搬送を行うが、次の画像データがない場合、シャッタ開放駆動用モータ６５の駆動を止め、シャッタ６６を閉じ、不使用のカートリッジ１３内を遮光し内部の記録紙の光被りを防止する。
【００４７】
上述のように、本実施の形態による画像記録装置１によれば、カートリッジ１３内の湿度センサ６３が監視湿度を検知すると、吸引ブロアＰ１が間欠吸引動作モードに自動的に切り替わり作動することで、記録紙がドラム１０の外周面３１ａで比較的大きな吸引力でかつしわ等のない状態で吸着され、カートリッジ１３内の湿度が監視湿度以上であるため記録紙に反りやカールが生じていても、ドラム１０に記録紙を確実に吸引し保持させることができる。また、従来は、吸引動作制御は手動で行っていたが、湿度監視手段により吸引動作制御を自動化することにより、メンテナンス性が向上する。
【００４８】
なお、本実施の形態による画像記録装置１は、特に、ＲＩＰ（ラスター・イメージ・プロセッサ）や網点変換処理装置で処理された網点画像データに基づき、波長の異なる複数光源によって銀塩感光材料（記録紙）を感光させることで、印刷物の仕上がりを事前に確認するためのカラープルーフを作成するカラープルーフ作成装置に適用して好適なものである。
【００４９】
以上のように本発明を実施するための最良の形態について説明したが、本発明はこれらに限定されるものではなく、本発明の技術的思想の範囲内で各種の変形が可能である。例えば、吸引ブロアＰ１の図８（ａ）、（ｂ）のような吸引動作の制御は、吸引ブロアＰ１の空気吸引ポンプをオン・オフすることで行ってよいが、本発明はこれに限定されず、例えば、図３の連結管５１の途中にオン・オフバルブを設け、このバルブを図８（ａ）、（ｂ）のようなモードでオン・オフ制御するようにしてもよい。
【００５０】
また、例えば、ドラム１０の外周面３１ａにおける多数の貫通孔３１ｃは、図３のような態様以外に分布させてもよいことは勿論である。
【図面の簡単な説明】
【００５１】
【図１】本実施の形態による画像記録装置全体の外観を示す斜視図である。
【図２】図１の画像記録装置の内部を正面側から見た図である。
【図３】図２の画像記録装置のドラム及び光学ユニットを上部から見た要部平面図である。
【図４】図１〜図３の画像記録装置１の露光ユニット１１における画像データの流れ及び画像記録装置１の制御系を示すブロック図である。
【図５】図３のドラムに形成された貫通孔を示す要部断面図である。
【図６】図１，図２のカートリッジの内部のシャッタ機構を側面から見た概略的な部分断面図である。
【図７】図６のカートリッジの搬出口近傍に設けられたシャッタ機構を下面側から見た部分図である。
【図８】図３の吸引ブロアＰ１の間欠吸引動作（ａ）及び連続吸引動作（ｂ）における各動作モードを示す図である。
【図９】図１〜図５の画像記録装置の動作（ステップＳ０１乃至Ｓ１１）を説明するためのフローチャートである。
【符号の説明】
【００５２】
１ 画像記録装置
１０ ドラム
１１ 露光ユニット
１２，１２’ 装填部
１３ カートリッジ
１３ｂ 筐体
１３ｃ シャッタ受部
１６ 光学ユニット
２１ 現像ユニット
５０ 制御部
６３ 湿度センサ（湿度監視手段）
６５ シャッタ開放駆動用モータ
６６ シャッタ
７１ シャッタ開放部材
Ｐ１ 吸引ブロア（吸引手段）
Ｓ 記録紙（シート状記録材料）
【図１】
2006163040.tif 000003
【図２】
2006163040.tif 000004
【図３】
2006163040.tif 000005
【図４】
2006163040.tif 000006
【図５】
2006163040.tif 000007
【図６】
2006163040.tif 000008
【図７】
2006163040.tif 000009
【図８】
2006163040.tif 000010
【図９】
2006163040.tif 000011